(57)【要約】【課題】ＰＤＡ、スチルカメラ、ムービーといったデジタル機器の多様な機能を理解するためには、店頭などで実際に操作して見ることが望ましいが、操作した後は、設定変更された状態や不要なデータが残った状態となり、元の設定に戻すことは負担となる。【解決手段】操作部１の操作に基づきデモンストレーションモードに設定するモード設定部４と、様々な操作に伴い設定された内容を保持する設定内容保持部７と、クレイドルに設置されたことを検知するクレイドル検知部８と、モード設定部４でデモンストレーションモードに設定され、かつクレイドル検知部８でクレイドルへの設置を検知した場合、設定内容保持部７を初期状態に設定する初期化制御部５とを備える。【選択図】図１
2005065163.tif 000002
【特許請求の範囲】
【請求項１】
デモンストレーションモードに設定するモード設定手段と、
操作に伴い設定された内容を保持する設定内容保持手段と、
所定のトリガーを検知する検知手段と、
前記モード設定手段でデモンストレーションモードに設定され、かつ前記検知手段で所定のトリガーを検知した場合、前記設定内容保持手段を初期状態に設定する制御手段とを備える電子機器。
【請求項２】
前記検知手段は、電子機器がクレイドルに設置されたことを検知することを特徴とする請求項１記載の電子機器。
【請求項３】
前記検知手段は、外部からの電源供給を検知することを特徴とする請求項１記載の電子機器。
【発明の詳細な説明】
【技術分野】
【０００１】
本発明は、店頭などで動作させるためのデモンストレーションモードを有する電子機器に関するものである。
【背景技術】
【０００２】
ＰＤＡ（Personal Digital Assistants：携帯型情報通信機器）やデジタルスチルカメラ、ビデオムービーといった電子機器は、様々な機能設定や動作設定が可能であり、操作が複雑なものもある。このような、多機能化した電子機器の有用性をお客様に理解いただくには、販売店の店頭などで自由に触っていただくのが有効である。
【０００３】
また、機能を説明するために、デモンストレーション動作を順次繰り返す電子機器も存在する（特許文献１を参照）。
【特許文献１】特開２０００−１８６９０号公報
【発明の開示】
【発明が解決しようとする課題】
【０００４】
多機能化した電子機器を店頭に展示し、お客様に自由に触っていただいた場合、設定を標準ではない状態に変更したり、不要なデータを残してしまったりする場合が多い。例えば、電子機器が夜間撮影モードを持つムービーで、ユーザーが店頭で夜間撮影モードに設定を変更したとする。通常、夜間撮影モードにするとかなり暗い環境でも撮影できるようになるが、ムービーの画質は落ち、コマ数が減る場合も有る。このようなモードのままで店頭に放置された場合、別のお客様が続いてそのムービーを手に取って見た時に、夜間撮影モードになっていることに気づかず、画質が悪くコマ落ちして撮影されるムービーであると誤認する可能性が有る。
【０００５】
この様な状況を避けるためには、店員がこまめに設定を元に戻す必要があるが、手間がかかるために販売店の大きな負担になる。
【０００６】
また、デモンストレーション表示を繰り返す場合でも、お客様が実際に操作できないために、機能の利便性を理解するには、限界があった。
【０００７】
本発明は、上記のような問題点を解決するためになされたもので、お客様に機器を自由に触っていただくが、販売店の負担がないデモンストレーション用のモードを有する電子機器を提供することを目的とする。
【課題を解決するための手段】
【０００８】
上記課題を解決するために本発明の電子機器は、デモンストレーションモードに設定するモード設定手段と、操作に伴い設定された内容を保持する設定内容保持手段と、所定のトリガーを検知する検知手段と、モード設定手段でデモンストレーションモードに設定されており、かつ検知手段で所定のトリガーを検知した場合、設定内容保持手段の記録内容を初期状態に設定する制御手段とを備える。
【発明の効果】
【０００９】
これにより、お客様が電子機器の操作を自由に試した後、クレイドル等にセットすることで所定のトリガーを検知して、初期状態に戻すことができるので、販売店等に負担を強いることなく、店頭にディスプレイすることができる。
【発明を実施するための最良の形態】
【００１０】
本発明の電子機器は、デモンストレーションモードに設定するモード設定手段と、操作に伴い設定された内容を保持する設定内容保持手段と、所定のトリガーを検知する検知手段と、前記モード設定手段でデモンストレーションモードに設定され、かつ前記検知手段で所定のトリガーを検知した場合、前記設定内容保持手段を初期状態に設定する制御手段とを備えたものである。
【００１１】
また、上記発明において、前記検知手段は、電子機器がクレイドルに設置されたことを検知することを特徴とするものである。
【００１２】
また、上記発明において、前記検知手段は、外部からの電源供給を検知することを特徴とするものである。
【００１３】
これらにより、電子機器がデモンストレーションモードに設定されている場合に、電子機器がクレイドルに設置されたり、外部から電源が供給されるなどのトリガーを検知した場合、デモンストレーションモードの初期状態に戻るので、試しに設定された状態や入力されたデータを個々に再設定や消去をする必要がなくなる。
【００１４】
以下、本発明の実施の形態による電子機器について、図面を参照しながら説明する。
【００１５】
（実施の形態１）
図１は、本発明の実施の形態１による電子機器の構成を示すブロック図である。本実施の形態では、具体的な電子機器としてＰＤＡを想定しているが、本発明はＰＤＡに限るものではない。
【００１６】
図１において、１は、タッチパネルやスイッチ類などから成る操作部、２は、操作部１からの入力に基づき各種処理を行う処理部、３は処理結果や操作状況などを表示する表示部、４はデモンストレーション用モードを設定するモード設定部、５は動作状況を初期化するための初期化制御部、６はデモンストレーション用の初期化状態を記録しているデモ用初期状態記録部、７は処理部２で操作されたりした結果などの現在の設定内容を保持する設定内容保持部、８はクレイドルに設置されたことを検知するクレイドル検知部である。そして、上記の１〜８の構成要素を電子機器１０が備える。
【００１７】
電子機器１０は、通常の動作モード（通常モード）以外に、店頭などで動作させるためのデモンストレーション用モード（デモ用モード）で動作する機能を有している。操作部１の入力によりデモ用モードと通常モードを切り替える。特定の操作に伴ってモード設定部４が、モードの切り替えを検出し、現状のモードを保持する。デモ用モードに設定された場合、初期化制御部５は、デモ用初期状態記録部６に記録されているデータや設定を設定内容保持部７にコピーする。これで、電子機器１０は、デモ用モードとして、動作可能となる。
【００１８】
電子機器１０は、デモ用モードで、電子機器１０が有する種々の機能を操作し、動作を確認したり、試したりすることができる。このデモ用モードで設定された情報は、処理部２を介して設定内容保持部７に記録されるので、通常モードとの相違を感じること無く、操作することができる。即ち、デモンストレーションの状態で、電源のオン・オフなども可能にし、設定内容には電源をオフにし、再度オンにしても残っているものと、初期化されるものの動きなども確認してもらうことができる。
【００１９】
一方、電子機器１０は、図２に示す様に、充電が必要な場合などにクレイドル１１にセットされる。クレイドル１１は、充電するために電力を供給したり、パーソナルコンピュータ等とのデータ連携するために用いるものである。
【００２０】
電子機器１０がクレイドル１１にセットされると、図３に示されるフローチャートに従い処理が実行される。ステップ３０において、クレイドル検知部８は、電子機器１０がクレイドル１１にセットされたかどうかを判別する。クレイドル検知部８は、所定のスイッチや電流値などをトリガーとして検知することで、クレイドル１１にセットされた旨の信号を初期化制御部５に出力する。そして、処理フローは、ステップ３１に進む。ステップ３１において、初期化制御部５は、モード設定部４に記憶されるモードを確認し、デモ用モードがどうかを判断する。デモ用モードでない場合、図３に示すルーチンは終了し、通常モードでの充電などが行われる。ステップ３１において、デモ用モードと判定された場合、ステップ３２に移行する。ステップ３２において、設定内容保持部７にデモ用の初期化状態を設定する。即ち、デモ用初期状態記録部６に記録されている設定やデータを設定内容保持部７にコピーする。これにより、デモ用モードに設定されたときと同じ状態になり、デモ用モードで自由に操作設定された内容をクリアすることができる。
【００２１】
なお、これに加えてお客様が試しに撮影した写真や動画の消去、試しに作成したファイルを削除、名前を変更されたファイルの名前を戻し、削除されたファイルを復活するなどの処理を行なえば、より効果が高まることは言うまでもない。
【００２２】
以上の様に、本実施の形態によれば、デモ用モードにおいて、クレイドル１１にセットされた時に、機器の設定内容がデモ用の初期状態に戻るので、店頭に展示している場合に、様々な操作がなされても、店員が元の状態に戻す必要もなく、機器を試しに操作する人も前に操作した人の影響を受けることなく本来の機器の状態を確認することができる。
【００２３】
なお、上記実施の形態では、クレイドル１１に電子機器１０をセットしたことをクレイドル検出部８で検知する場合を例に説明したが、図４に示すように、クレイドルを用いない充電方法を採用する機器も存在する。この場合、クレイドル検知部８を、電源供給端子１２が電子機器１０にセットされて充電が開始されたことを検知する手段として構成する。即ち、本発明は、デモ用モードにおいて、使用を一旦終了したことを検知する何らかのトリガーを発するような仕組みを電子機器１０に有するものである。従って、上記実施の形態にとらわれず種々の変形や改良が可能なことは言うまでもない。
【００２４】
また、上記実施の形態では、ハードウェアとして構成した場合について述べたが、上述の処理の一部をソフトウェアとして構成することも可能である。
【産業上の利用可能性】
【００２５】
本発明にかかる電子機器は、デモンストレーション用のモードであれば、所定のトリガーを検知すると初期状態に戻すことができるので、店頭などで動作させるためのデモンストレーションモードを有する電子機器等として有用である。
【図面の簡単な説明】
【００２６】
【図１】本発明の実施の形態１による電子機器の構成を示すブロック図
【図２】同電子機器とクレイドルの関係を示す概念図
【図３】同電子機器の動作を説明するためのフローチャート
【図４】同電子機器と電源供給端子との関係を示す概念図
【符号の説明】
【００２７】
１    操作部
２    処理部
３    表示部
４    モード設定部
５    初期化制御部
６    デモ用初期状態記録部
７    設定内容保持部
８    クレイドル検知部
１０    電子機器
１１    クレイドル
１２    電源供給端子
【図１】
2005065163.tif 000003
【図２】
2005065163.tif 000004
【図３】
2005065163.tif 000005
【図４】
2005065163.tif 000006